(57)【要約】      （修正有）【課題】物干用具を物干竿の任意の個所に掛け、洗濯物が風により絡みあったり落ちたりすることを防ぐ為の固定具であって、物干用具が強風でも飛ばされることがなく、洗濯物の脱着にて手を高く上げたままでの作業が要求されることがない固定具を提供する。【解決手段】物干用具６の風による落下を防ぐ為に、物干用具のフック部７の軸棒８の先端に突起物９を設け、固定具２の貫通穴５を通過させた後に戻り防止具１０を圧着する。また、物干用具を手許に引き寄せての作業が可能となるように、固定具と物干用具との間にバネ１２を設ける。【選択図】図５
2020141805.tif 000002
【特許請求の範囲】
【請求項１】
本発明は、物干竿の任意の個所に固定具が圧着固定され、該固定具の貫通穴に通された物干用具のフック部が、風により固定具の貫通穴まで戻り外れるのを防ぐ為に、前記固定具の貫通穴を通過する前記物干し用具のフック部の先端に突起物を設けた。
前記固定具の貫通穴を通過してきた物干用具のフック部軸棒に戻り防止具を圧着固定させ、該戻り防止具は前記突起物により行く手を阻まれ、退路は通過した貫通穴に阻まれ、物干用具のフック部先端が戻りすぎ前記固定具の貫通穴を超えて外れ落下し飛び散るのを防いだ風に強い物干し用具。  
【請求項２】
本発明は前記固定具と前記物干用具のフック部との間に、伸縮性のあるバネ又はゴムひも等を装着することにより、手元に洗濯用具を引き寄せたり、手から放して物干竿に戻したり、洗濯物の脱着作業が行われることが出来、手を挙げたままの苦痛な作業から解放され、新たに起きた問題も解決し、手元に引き寄せ作業が出来る請求項１に記載の物干用具。
【発明の詳細な説明】
【技術分野】
【０００１】
本発明は、物干用具に関する。
【背景技術】
【０００２】
従来の洗濯物を干す方法で、風により物干竿上で物干用具が移動するのを防ぐ為に物干竿の任意の個所に固定具を取り付け固定させ、該固定具の貫通穴に前記物干用具のフック部を貫通させて使用されている。（特許文献１参照）
前記固定具には複数の貫通穴を有する固定具も使用されている。（特許文献２参照） 
前記固定具の貫通穴に通されただけの洗濯用具のフック部は、風により戻され外れて落下する恐れがある。
高い所にある物干竿に固定された、前記固定具の貫通穴に、前記洗濯用具のフック部を差し込んだまま、洗濯物を前記洗濯用具に脱着させて使用し、該洗濯用具のフック部を前記固定具の貫通穴より取り外したり、また挿入したりして使用することなく、洗濯用具は常時、固定具に取り付けられたまま使用される。
高い個所の物干竿に取り付けられた固定具と一体になった洗濯用具に洗濯物を脱着させる作業は手を上げたままの姿勢で行われこととなり、苦痛な作業である。
【先行技術文献】
【特許文献】
【０００３】
【特許文献１】実開平０７−００３５９５号公報
【特許文献２】実開平１−６６２９７号公報
【発明の概要】
【発明が解決しようとする課題】
【０００４】
洗濯物の脱着は、固定具を介して、物干竿と一体となった前記洗濯用具に脱着させて使用し、該洗濯用具のフック部を、前記固定具の貫通穴より取り外したり、また挿入したりして使用用することなく、洗濯用具は固定具に取り付けられたままで使用されている。
そのために、強風により前記物干用具の方向が千変万化し、前記洗濯用具のフック部が前記固定具の貫通穴に戻り、外れ離れて落下する恐れがある。
【０００５】
前記物干竿に固定された前記固定具の貫通穴に前記物干用具のフック部を差し込んだり、抜き取る作業は困難である。
その為、抜き取り差し込みせずに使用される物干用具は、必然的に高所の物干し竿に固定された物干用具に、洗濯物を脱着させて使用することになり、その作業は手を高く上げたままの姿勢で行われ苦痛を伴う、特に背の低い方々にとっては大変な作業となる。
【課題を解決するための手段】
【０００６】
本発明は、物干竿の任意の個所に、物干し用具を圧着固定させる為の前記固定具の貫通穴に、通された前記物干用具のフック部が、風により貫通穴まで戻り外れるのを防ぐ為に、前記固定具の貫通穴に差し込み通す前記物干し用具のフック部の先端に突起物を設けた。
前記固定具の貫通穴をくぐってきた、前記突起物を有する物干し用具のフック部の先端と、前記固定具の貫通穴との間の前記物干し用具のフック部軸棒に、戻り防止具を圧着固定させ、前記物干用具のフック部先端が戻りすぎて前記固定具の貫通穴を超えて外れ落下し飛び散るのを防ぐ。
【０００７】
物干竿の固定具より物干用具が外れない為に、前記物干用具のフック部先端に突起物を設け、戻り防止具を圧着固定させ、該戻り防止具により前記物干用具が固定具の貫通穴より外れ落下を防ぐことが出来たが、前記物干用具のフック部を、固定具の貫通穴に差し込み又は外す作業に、戻り防止具を取り付けたり外したりの作業が重なり、いよいよ作業は困難となり、必然的に物干用具は物干竿に固定された固定具の貫通穴に取り付けられたたままで使用されることになる。
常時高い位置の物干竿の固定具により固定された物干用具に洗濯物を脱着させる作業は手を高く上げままの姿勢で行はれる。
そこでさらに本発明は、前記固定具と前記物干用具のフック部との間に伸縮性のあるバネまたはゴムひも等を装着することにより、高い物干竿に固定された洗濯用具を、手元に引き寄せて洗濯物の作業が行われることが出来問題を解決する。
【発明の効果】
【０００８】
物干竿の任意の個所に、物干用具を固定設置するために固定具が考案され、風による物干竿上の物干用具の移動が無くなり、又風による洗濯物同士がからみ合う事も無く、落下し飛び去る恐れは減らされたが、物干用具のフック部が固定具の貫通穴に通されただけでまだまだ落下し飛び散る恐れが残り、まだまだ安心できるものではなく、問題解決には至っていない。（図１、図２、図８、参照）
本発明は、前記物干し用具のフック部の先端に突起物を設け、前記固定具の貫通穴を通過した前記物干用具のフック部軸棒に、戻り防止具を押し込み篏合圧着させ、前記固定具の貫通穴を通過し戻るのを不能にし、物干用具が脱落飛び散る問題を解決し、風に強い物干用具とした。（図３、図４、参照）
【０００９】
その為、高い位置の物干竿に圧着された固定具の貫通穴に、物干用具を取り外したり取り付けたりの作業の上に、戻り防止具を取り付けたり取り外したりの作業が加わることになり困難度が増えて、必然的に物干用具は固定具を介して物干竿から外されることなく、常時取り付けられたままで物干作業が行われることになり、常時高所にある物干竿に固定された固定具に物干用具の取り付けや取り外しは困難になり、ますます物干竿に常時固定されたまま使用される。
洗濯物を脱着する作業は、必然的に手を上げたままの無理な姿勢での続行作業となり、この問題を解決する為、本発明は前記物干竿に篏合圧着された固定具の貫通穴と前記物干用具のフック部との間に伸縮するゴム紐又はバネ等を用いて連結することで解決した。（図５、図６、図７（A）、図９、参照）
【００１０】
前記物干竿に篏合圧着された固定具の貫通穴に、バネまたはゴム紐等伸縮性のあるものを用い、その一端を連結させ、他の一端を物干用具のフック部に連結させ、該物干し用具の一部分を持ち簡単に手元に引き寄せられ，又放すとゴム紐またはバネ等の伸縮性で元の状態に戻る、前記物干用具を手元に引き寄せ洗濯物を取り付け、手から放して以前の位置に戻す。
洗濯物の物干用具への脱着は手許で行うことが出来、問題が解決され、特に背の低い方々にとっては朗報である。
【図面の簡単な説明】
【００１１】
【図１】従来の実施形態の（Ａ）、（Ｂ）２例を示す全体斜視図。
【図２】従来の物干竿上の固定具と物干用具との（Ａ）、（Ｂ）２例の全体斜視図。
【図３】本発明の物干用具フック部先端に設けた突起物と戻り防止具との説明図。
【図４】フック部先端の突起物と戻り防止具が取り付けられた（Ａ）、（Ｂ）２例の斜視図。
【図５】固定具の貫通穴と物干用具フック部とバネとの関係説明斜視図。
【図６】手元に引き寄せられた物干用具の状態図
【図７】固定具とバネとバネと物干用具の連結方法の（Ａ），（Ｂ）、２例図。
【図８】従来の多穴固定具が物干竿に押し込み圧着される説明図。
【図９】本発明の物干用具フック部先端の突起物と戻り防止具及びバネとの関係図。
【発明を実施するための形態】
【００１２】
従来、洗濯物を直接、物干竿１に掛けたり、直接洗濯物の袖等を通したりして干していたが、物干用具６に洗濯物を取り付け、物干用具６に洗濯物が取り付けられたまま物干竿１に掛けられたり変化進歩してきた、その物干用具６が風により物干竿１上を移動して洗濯物同士がからみ合ったり、重なり乾きが遅れたりしていたのを、物干竿１上で移動しない様に任意の位置に固定できるように固定具２が普及してきた。（図1、図2、図８、参照）
【００１３】
物干竿１上に固定された固定具２の貫通穴用部分４の貫通穴５に物干用具６のフック部７が挿入されて使用されているが、該物干用具６が風により固定具２の貫通穴５より外れないために、物干用具６のフック部７先端に突起物９を設け、該突起物９と突起物９が挿入され通過してきた貫通穴５との間の物干用具６フック部７の軸棒８に戻り防止具１０を圧着させて解決させた。（図3、図4、参照）
前記戻り防止具１０は一部が欠切した開口部１１を有する略リング状で、内則型が前記物干用具６のフック部７の軸棒８の外則型に篏合し、戻り防止具１０の外側型は前記固定具２の貫通穴５より大きな形体で、戻り防止具１０の欠切部開口部１１を前記物干用具６のフック部７の先端に設けた突起物９と、前記固定具２の貫通穴５との間のフック部軸棒８に押し込み篏合圧着させる。（図３、図４、参照）
これにより、前記固定具２の完通穴用部分４の貫通穴５からの物干用具６の脱落を防ぎ、強風にも強い物干用具６とした。
戻り防止具１０は固定具２同様に、弾力性に優れた素材が求められ、且つその形態も一部分欠切された開口部１１を有する略リングな状で、一部欠切された開口部１１を物干竿に宛て押し込みむ圧力で欠切部分が少し緩み、押し込まれた後は目的物に弾力によってしっかり篏合するような形体が必要である。（図3、図4、参照）
強風に強く物干竿１ごと飛ばされない限り洗濯物が脱落し飛び去り失うことを防ぐことが出来る。
【００１４】
前記戻り防止具１０が、前記物干用具６のフック部軸棒８に圧着されたため、固定具２から物干用具６を取り外すには、戻り防止具１０を外さなければ出来ず、又取り付けには固定具２の貫通穴５に物干用具６のフック部７を通し、その後に戻り防止具１０を押し込み圧着篏合させねばならず作業が困難になり、必然的に物干し用具６は高所の物干竿１に固定された固定具２に取り付けられたままに使用されることになり、物干用具６に洗濯物を脱着するには手を高く上げたまま行われることになるり、新たな問題を生じた。
【００１５】
そこで高所の物干竿１に圧着されていた固定具２の貫通穴５に、伸縮性を利用しバネまたはゴムひも等１２を用い、その一端を結合し他の一端を物干用具６のフック部７に結合し物干竿１と固定具２とバネ１２それに物干し用具６を一体化して、バネ１２を介することにより高所の物干竿に固定された固定具２より物干用具６はバネ１２の伸びにより簡単に手元に引き寄せられ洗濯物の脱着作業が容易にできて新たに起きた問題を解決できる。（図５、図６、図7A、図9、参照）
【実施例】
【００１６】
戻り防止具１０はともに略リング型が望ましく、略リング型の一部欠切した開口部１１を目的物に押し込み篏合させるために、その材質は弾力性のある素材が求められ、樹脂製または金属製が望まれるが、陽に照らされ、風に吹かれ、したたる水を浴びる選択用具６のさだめに錆びないことが素材の条件となる。
形状も弾力性に富む形状が必要であり、錆びに対処するのは固定具２、戻り防止具１０、物干用具６にバネ１２にも必要な条件であり、バネ１２は引っ張りバネが使いやすく金属の場合はステンレースなど錆びない素材が望ましい。
【００１７】
略リング型の一部欠切した開口部１１を有する戻り防止具１０は、開口部１１を物干用具フック部７の軸棒８に押し込み篏合させ、物干竿１の外側型に篏合させたものであり、戻り防止具１０の外側型は固定具２の貫通穴５を通過する事の出来ない大きさが必要であり、仕様に当たっては洗濯物が物干用具６からはずれない様に上着、シャツなどは両袖を洗濯用具６に通して上部のボタンを掛けたり、ものによっては洗濯はさみで挟む等の対策が必用であり、事前に台風突風当の強力な風力が想定される場合は事前の予報に気を付け、その場合は物干竿１ごと飛ばされない対策が必要である。
【符号の説明】
【００１８】
１      物干竿 
２      固定具
３      固定具の欠切した開口部  
４      固定具の貫通穴用部分  
５      固定具の貫通穴
６      物干用具
７      物干用具フック部
８      物干用具のフック部軸棒 
９      物干用具のフック部軸棒先端の突起物
１０    戻り防止具
１１    戻り防止部の欠切した開口部
１２    バネ
【図１】
2020141805.tif 000003
【図２】
2020141805.tif 000004
【図３】
2020141805.tif 000005
【図４】
2020141805.tif 000006
【図５】
2020141805.tif 000007
【図６】
2020141805.tif 000008
【図７】
2020141805.tif 000009
【図８】
2020141805.tif 000010
【図９】
2020141805.tif 000011